(57)【要約】      （修正有）【課題】バックライトユニットの正面輝度を十分に高めることができる液晶表示装置用光学シートの提供を目的とする。【解決手段】液晶表示装置用光学シート３は、透過光線に対して特定の光学的機能を奏する液晶表示装置用光学シート３であって、上記光学的機能として、平面内の特定方向を基準とする集光機能と、この特定方向と垂直方向を基準とする拡散機能とを有することを特徴とする。液晶表示装置用バックライトユニットは、端面から入射した光線を表面側に導くライトガイドフィルム１と、このライトガイドフィルム１の上記端面に沿って配設される１又は複数のＬＥＤ光源２と、上記ライトガイドフィルム１の表面側に配設される当該光学シート３と、当該光学シート３の表面側に配設されるプリズムシート５とを備え、当該光学シート３の上記特定方向が、上記ＬＥＤ光源２の光線方向と平行で、かつ上記プリズムシート５のプリズム列の方向と垂直である。【選択図】図１
2018109748.tif 000002
【特許請求の範囲】
【請求項１】
透過光線に対して特定の光学的機能を奏する液晶表示装置用光学シートであって、
上記光学的機能として、平面内の特定方向を基準とする集光機能と、この特定方向と垂直方向を基準とする拡散機能とを有することを特徴とする液晶表示装置用光学シート。
【請求項２】
上記特定方向に配向する多条状の回折格子形状を備える請求項１に記載の液晶表示装置用光学シート。
【請求項３】
上記回折格子形状が、上記特定方向への擦過痕又はヘアライン状を呈する請求項２に記載の液晶表示装置用光学シート。
【請求項４】
上記光学シートが、
基材層と、
この基材層の一方の面側に積層される光拡散層と
を備える光拡散シートである請求項１、請求項２又は請求項３に記載の液晶表示装置用光学シート。
【請求項５】
上記光拡散層がビーズ及びそのバインダーを有する請求項４に記載の液晶表示装置用光学シート。
【請求項６】
ヘイズ値が６０％以上９５％以下である請求項４又は請求項５に記載の液晶表示装置用光学シート。
【請求項７】
端面から入射した光線を表面側に導くライトガイドフィルムと、
このライトガイドフィルムの上記端面に沿って配設される１又は複数のＬＥＤ光源と、
上記ライトガイドフィルムの表面側に配設される請求項１から請求項６のいずれか１項に記載の光学シートと、
上記光学シートの表面側に配設されるプリズムシートと
を備え、
上記光学シートの上記特定方向が、上記ＬＥＤ光源の光線方向と平行、かつ上記プリズムシートのプリズム列の方向と垂直である液晶表示装置用バックライトユニット。
【発明の詳細な説明】
【技術分野】
【０００１】
本発明は、液晶表示装置用光学シート及び液晶表示装置用バックライトユニットに関する。
【背景技術】
【０００２】
透過型の液晶表示装置としては、液晶層を背面から照らすバックライト方式が普及しており、液晶層の裏面側にエッジライト型（サイドライト型）、直下型等のバックライトユニットが装備されている。図２１に示すように、このエッジライト型のバックライトユニット１０１は、一般に複数のＬＥＤ光源１０２と、複数のＬＥＤ光源１０２に端面が沿うように配置される方形板状の導光シート１０３と、この導光シート１０３の表面側に重ねて配設される複数枚の光学シート１０４を備えている。この光学シート１０４は、透過光線に対する拡散、屈折等の光学的機能を有しており、例えば導光シート１０３の表面側に配設され、主に光拡散機能を有する光拡散シート１０５や、光拡散シート１０５の表面側に配設され、法線方向側への屈折機能を有するプリズムシート１０６等が用いられている（特開２００５−７７４４８号公報参照）。
【０００３】
このバックライトユニット１０１の機能を説明すると、まず複数のＬＥＤ光源１０２から導光シート１０３に入射した光線は、導光シート１０３の裏面の反射ドット又は反射シート（図示省略）及び各側面で反射され、導光シート１０３の表面から出射される。導光シート１０３の表面から出射した光線は光拡散シート１０５に入射し、拡散され表面より出射される。光拡散シート１０５の表面から出射された光線は、プリズムシート１０６に入射し、表面に形成された複数の凸条プリズム部によって法線方向側へ屈折して出射され、さらに表面側の図示していない液晶層全面を照明する。なお、図示していないが、上記光学シート１０４としては、プリズムシート１０６の表面側に配設され、光線をわずかに拡散させることでプリズムシート１０６の複数の凸条プリズム部の形状等に起因する輝度ムラを抑制する上用光拡散シートや、法線方向側への屈折機能及び広角度の光拡散機能を有するマイクロレンズシート等も用いられる。
【０００４】
このバックライトユニット１０１にあっては、導光シート１０３の一の端面に複数のＬＥＤ光源１０２が沿うように配設されているので、導光シート１０３の表面から出射される光線は、複数のＬＥＤ光源１０２の出射方向に傾斜した光線を多く含む指向性を有する。このバックライトユニット１０１は、この指向性を有する光線を光拡散シート１０５によって拡散し、さらにプリズムシート１０６によって法線方向側に立ち上げることで正面方向の輝度を高めている。
【先行技術文献】
【特許文献】
【０００５】
【特許文献１】特開２００５−７７４４８号公報
【発明の概要】
【発明が解決しようとする課題】
【０００６】
しかしながら、本発明者らが検討したところ、上述のような複数のＬＥＤ光源１０２を用いたエッジライト型のバックライトユニット１０１にあっては、正面輝度を十分に高めることができていないことが判明した。この原因は必ずしも明らかではないが、光拡散シート１０５からの出射光線の出射方向に偏りがあり、この出射方向の偏りとプリズムシート１０６の光学特性とが合致していないため、プリズムシート１０６によって法線方向に立ち上げられる光線の割合が少なくなっているためと考えられる。
【０００７】
本発明は、このような事情に鑑みてなされたものであり、プリズムシートを有するバックライトユニットの正面輝度を十分に高めることができる液晶表示装置用光学シート及びこの光学シートを備える液晶表示装置用バックライトユニットの提供を目的とするものである。
【課題を解決するための手段】
【０００８】
上記課題を解決するためになされた本発明に係る液晶表示装置用光学シートは、透過光線に対して特定の光学的機能を奏する液晶表示装置用光学シートであって、上記光学的機能として、平面内の特定方向を基準とする集光機能と、この特定方向と垂直方向を基準とする拡散機能とを有することを特徴とする。
【０００９】
当該液晶表示装置用光学シートは、ＬＥＤ光源の光線方向に対して垂直方向にプリズム列の方向が配されたプリズムシートを備えるバックライトユニットにおいて、このプリズムシートの裏面側に上記特定方向が上記プリズム列の方向に対して垂直となるよう配設すると、バックライトユニットの正面輝度を十分に高めることができる。この原因は必ずしも明らかではないが、ＬＥＤ光源から出射され、当該液晶表示装置用光学シートに入射された光線が上記特定方向に集光され、かつ上記特定方向の垂直方向に拡散されることで、当該液晶表示装置用光学シートから出射され、プリズムシートに入射した光線がプリズム列によって比較的高い割合で所望する角度に立ち上げられているためと考えられる。
【００１０】
当該液晶表示装置用光学シートは、上記特定方向に配向する多条状の回折格子形状を備えるとよい。このように、上記特定方向に配向する多条状の回折格子形状を備えることによって、この回折格子形状の幅方向に光を拡散させることができ、これにより上記特定方向を基準とする集光機能及びこの特定方向と垂直方向を基準とする拡散機能を容易かつ確実に奏することができる。
【００１１】
上記回折格子形状が、上記特定方向への擦過痕又はヘアライン状を呈するとよい。このように、上記回折格子形状が上記特定方向への擦過痕又はヘアライン状を呈することによって、この回折格子形状の幅方向に容易かつ確実に光を拡散させることができる。
【００１２】
当該液晶表示装置用光学シートは、基材層とこの基材層の一方の面側に積層される光拡散層とを備える光拡散シートであるとよい。このように、当該液晶表示装置用光学シートが、基材層とこの基材層の一方の面側に積層される光拡散層とを備える光拡散シートであることによって、上記特定方向を基準とする集光機能及びこの特定方向と垂直方向を基準とする拡散機能を向上し易い。
【００１３】
上記光拡散層がビーズ及びそのバインダーを有するとよい。このように、上記光拡散層がビーズ及びそのバインダーを有することによって、上記特定方向を基準とする集光機能及びこの特定方向と垂直方向を基準とする拡散機能をより確実に向上することができる。
【００１４】
当該液晶表示装置用光学シートのヘイズ値としては、６０％以上９５％以下が好ましい。このように、上記ヘイズ値が上記範囲内であることによって、上記特定方向を基準とする集光機能及びこの特定方向と垂直方向を基準とする拡散機能をより向上し易い。
【００１５】
上記課題を解決するためになされた本発明に係る液晶表示装置用バックライトユニットは、端面から入射した光線を表面側に導くライトガイドフィルムと、このライトガイドフィルムの上記端面に沿って配設される１又は複数のＬＥＤ光源と、上記ライトガイドフィルムの表面側に配設される当該光学シートと、当該光学シートの表面側に配設されるプリズムシートとを備え、当該光学シートの上記特定方向が、上記ＬＥＤ光源の光線方向と平行、かつ上記プリズムシートのプリズム列の方向と垂直である。
【００１６】
当該液晶表示装置用バックライトユニットは、当該光学シートの上記特定方向が上記ＬＥＤ光源の光線方向と平行、かつ上記プリズムシートのプリズム列の方向と垂直であるので、当該光学シートを透過する光線をプリズムシートのプリズム列の垂直方向に集光させつつ、このプリズム列の方向に拡散させることで正面輝度を十分高めることができる。
【００１７】
なお、本発明において「表面側」とは液晶表示装置における視認者側を意味する。また「裏面」とは表面側と反対側の面を意味する。「回折格子形状」とは、光学特性が厳密に調整されたものに限定されず、広く入射光に対して回折を生じる形状をいう。「一方向への擦過痕状又はヘアライン状」とは、多数の細長い傷が一方向に配向して形成されたような形状をいう。「ヘイズ値」とは、ＪＩＳ−Ｋ−７１３６：２０００に準拠した値を意味する。
【発明の効果】
【００１８】
以上説明したように、本発明の液晶表示装置用光学シートは、バックライトユニットの正面輝度を十分に高めることができる。また、本発明に係る液晶表示装置用バックライトユニットは、正面輝度を十分に高めることができる。
【図面の簡単な説明】
【００１９】
【図１】本発明の一実施形態に係る液晶表示装置用バックライトユニットを示す模式的端面図である。
【図２】図１のバックライトユニットの光拡散シートを示す模式的拡大端面図である。
【図３】図２の光拡散シートの模式的裏面図である。
【図４】図３の光拡散シートのＡ−Ａ線部分端面図である。
【図５】従来のバックライトユニットにおける光線の出射特性を説明するための模式図である。
【図６】図１のバックライトユニットにおける光線の出射特性を説明するための模式図である。
【図７】図２の光拡散シートの製造装置を示す模式図である。
【図８】図２の光拡散シートとは異なる実施形態に係る光拡散シートを示す模式的部分端面図である。
【図９】図８の光拡散シートの模式的裏面図である。
【図１０】図９の光拡散シートのＢ−Ｂ線部分端面図である。
【図１１】図２及び図８の光拡散シートとは異なる実施形態に係る光拡散シートを示す模式的裏面図である。
【図１２】図８及び図１１の光拡散シートの凸部の一例を示す模式的斜視図である。
【図１３】図１２の凸部とは異なる形態に係る凸部を示す模式的斜視図である。
【図１４】図１２及び図１３の凸部とは異なる形態に係る凸部を示す模式的斜視図である。
【図１５】図１２〜図１４の凸部とは異なる形態に係る凸部を示す模式的斜視図である。
【図１６】本発明の他の実施形態に係る回折格子形状を示す模式的端面図である。
【図１７】図１６の回折格子形状とは異なる形態に係る回折格子形状を示す模式的端面図である。
【図１８】図１６及び図１７の回折格子形状とは異なる形態に係る回折格子形状を示す模式的端面図である。
【図１９】実施例の光拡散シートの出射光角及び輝度の関係を示すグラフである。
【図２０】比較例の光拡散シートの出射光角及び輝度の関係を示すグラフである。
【図２１】従来のエッジライト型のバックライトユニットを示す模式的斜視図である。
【発明を実施するための形態】
【００２０】
以下、適宜図面を参照しつつ、本発明の実施の形態を詳説する。
【００２１】
［第一実施形態］
［バックライトユニット］
図１の液晶表示装置用バックライトユニット（以下、単に「バックライトユニット」ともいう）は、エッジライト型バックライトユニットであって、複数のＬＥＤ光源が用いられる液晶表示装置用バックライトユニットである。当該バックライトユニットは、端面から入射した光線を表面側に導くライトガイドフィルム１と、ライトガイドフィルム１の上記端面に沿って配設される複数のＬＥＤ光源２と、ライトガイドフィルム１の表面側に重畳される複数の光学シート３とを備える。上記複数の光学シート３としては、ライトガイドフィルム１の表面側に配設される本発明に係る光拡散シート（下用光拡散シート４）と、下用光拡散シート４の表面側に配設される第１プリズムシート５と、第１プリズムシート５の表面側に配設される第２プリズムシート６と、第２プリズムシート６の表面側に配設される光拡散シート（上用光拡散シート７）とを備える。また、当該バックライトユニットは、ライトガイドフィルム１の裏面側に配設される反射シート８をさらに備える。下用光拡散シート４は、裏面側から入射される光線を拡散させつつ法線方向側へ集光させる（集光拡散させる）。第１プリズムシート５及び第２プリズムシート６は、裏面側から入射される光線を法線方向側に屈折させる。具体的には、第１プリズムシート５及び第２プリズムシート６は、プリズム列の方向（凸条プリズム部の稜線方向）が直交しており、下用光拡散シート４から入射された光線を第１プリズムシート５がプリズム列の方向に対して垂直方向かつ法線方向側に屈折させ、さらに第１プリズムシート５から出射される光線を第２プリズムシート６が液晶表示素子の裏面に対して略垂直に進行するように屈折させる。上用光拡散シート７は、裏面側から入射される光線を若干程度拡散させて第１プリズムシート５及び第２プリズムシート６のプリズム列の形状等に起因する輝度ムラを抑制する。反射シート８は、ライトガイドフィルム１の裏面側から出射される光線を表面側に反射させ、再度ライトガイドフィルム１に入射させる。
【００２２】
＜下用光拡散シート＞
当該下用光拡散シート４は、図２に示すように、基材層１１と、基材層１１の一方の面側に積層される光拡散層１２と、基材層１１の裏面側に積層される裏層１３とを備える。当該下用光拡散シート４は、平面視方形状に形成されている。当該下用光拡散シート４は、基材層１１、光拡散層１２及び裏層１３から構成されている（つまり、当該下用光拡散シート４は、基材層１１、光拡散層１２及び裏層１３以外の他の層を有しない）。
【００２３】
当該下用光拡散シート４は、平面内の特定方向が複数のＬＥＤ光源２の光線方向（光線出射方向）と平行である。また、当該下用光拡散シート４は、上記特定方向が当該下用光拡散シート４の表面側に直接配設される（つまり、他の光学シートを介さず配設される）第１プリズムシート５のプリズム列の方向と垂直である。当該下用光拡散シート４は、透過光線（裏面側から入射し表面側から出射される光線）に対して特定の光学的機能を有する液晶表示装置用光学シートであって、上記光学的機能として、上記平面内の特定方向（複数のＬＥＤ光源２の光線方向）を基準とする集光機能と、この特定方向と垂直方向（第１プリズムシート５のプリズム列の方向）を基準とする拡散機能とを有する。つまり、当該下用光拡散シート４は、平面内の特定方向に対する拡散機能よりもこの特定方向と垂直方向に対する拡散機能が高い拡散異方性を有する。
【００２４】
（基材層）
基材層１１は、光線を透過させる必要があるので透明である。基材層１１は、合成樹脂を主成分とする。基材層１１の主成分としては、特に限定されるものではなく、例えばポリエチレンテレフタレート、ポリエチレンナフタレート、アクリル樹脂、ポリカーボネート、ポリスチレン、ポリオレフィン、セルロースアセテート、耐候性塩化ビニル等が挙げられる。中でも、透明性に優れ、強度が高いポリエチレンテレフタレートが好ましく、撓み性能が改善されたポリエチレンテレフタレートが特に好ましい。なお、「主成分」とは、最も含有量の多い成分をいい、例えば含有量が５０質量％以上の成分をいう。
【００２５】
（光拡散層）
光拡散層１２は、基材層１１の表面側に積層される。光拡散層１２は、当該下用光拡散シート４の最表面を構成する。光拡散層１２は、複数のビーズ１４及びそのバインダー１５を有する。ビーズ１４はバインダー１５に囲まれている。光拡散層１２は、複数のビーズ１４を分散含有することによって、裏面側から表面側に透過する光線を略均一に拡散させる。また、光拡散層１２は、複数のビーズ１４によって表面に微細凹凸が略均一に形成され、この微細凹凸の各凹部及び凸部がレンズ状に形成されている。光拡散層１２は、かかる微細凹凸のレンズ的作用によって、優れた光拡散機能を発揮し、この光拡散機能に起因して透過光線を法線方向側へ屈折させる屈折機能及び透過光線を法線方向に巨視的に集光させる集光機能を有している。
【００２６】
ビーズ１４は、光線を拡散させる性質を有する樹脂粒子である。ビーズ１４の主成分としては、例えばアクリル樹脂、アクリロニトリル樹脂、ポリウレタン、ポリ塩化ビニル、ポリスチレン、ポリアミド、ポリアクリロニトリル等が挙げられる。中でも、透明性が高いアクリル樹脂が好ましく、ポリメチルメタクリレート（ＰＭＭＡ）が特に好ましい。
【００２７】
ビーズ１４の形状は、特に限定されるものではなく、例えば球状、立方状、針状、棒状、紡錘形状、板状、鱗片状、繊維状などが挙げられ、中でも光拡散性に優れる球状が好ましい。
【００２８】
バインダー１５は、基材ポリマーを含むポリマー組成物を硬化（架橋等）させることで形成される。ビーズ１４は、バインダー１５によって、基材層１１の表面全面に略等密度で配置固定される。なお、バインダー１５を形成するためのポリマー組成物は、その他に例えば微小無機充填剤、硬化剤、可塑剤、分散剤、各種レベリング剤、帯電防止剤、紫外線吸収剤、抗酸化剤、粘性改質剤、潤滑剤、光安定化剤等が適宜配合されていてもよい。
【００２９】
（裏層）
裏層１３は、当該下用光拡散シート４の最裏面を構成する。裏層１３は、光線を透過させる必要があるので透明である。裏層１３は、合成樹脂を主成分として形成されている。裏層１３の主成分としては、特に限定されるものではなく、例えば熱硬化型樹脂、活性エネルギー線硬化型樹脂等が挙げられる。
【００３０】
上記熱硬化型樹脂としては、例えばエポキシ樹脂、シリコーン樹脂、フェノール樹脂、ユリア樹脂、不飽和ポリエステル樹脂、メラミン樹脂、アルキド樹脂、アクリル樹脂、アミド官能性共重合体、ウレタン樹脂等が挙げられる。
【００３１】
上記活性エネルギー線硬化型樹脂としては、紫外線を照射することによって架橋、硬化する紫外線硬化型樹脂や、電子線を照射することによって架橋、硬化する電子線硬化型樹脂等が挙げられ、重合性モノマー及び重合性オリゴマーの中から適宜選択して用いることが可能である。中でも、上記活性エネルギー線硬化型樹脂としては、アクリル系、ウレタン系又はアクリルウレタン系紫外線硬化型樹脂が好ましい。
【００３２】
当該下用光拡散シート４は、裏層１３の裏面（当該下用光拡散シートの裏面）に、上記特定方向に配向する多条状の回折格子形状１６を備える。この回折格子形状１６は、上記特定方向に沿って多数の凹凸条が形成された形状を有する。当該下用光拡散シート４は、回折格子形状１６を備えることで、回折格子形状１６に到達した光線をこの回折格子形状１６の幅方向（多数の凹凸条の平均配向方向の垂直方向）に拡散させることができる。これにより、当該下用光拡散シート４は、上述のような上記特定方向を基準とする集光機能及びこの特定方向と垂直方向を基準とする拡散機能を奏する。回折格子形状１６は、上記特定方向への擦過痕又はヘアライン状を呈することが好ましい。当該下用光拡散シート４は、上記回折格子形状１６が上記特定方向への擦過痕又はヘアライン状を呈することによって、この回折格子形状１６の幅方向に容易かつ確実に光線を拡散させることができる。なお、「多数の凹凸条の平均配向方向」とは、多数の凹凸条を構成する複数の凹部の平均配向方向をいう。
【００３３】
回折格子形状１６は、裏層１３の裏面の全領域に亘って略均一に（略等密度で）形成されている。また、図３，４に示すように、回折格子形状１６を形成する多数の凹凸条は、長手方向が複数のＬＥＤ光源２の光線方向に沿っている（つまり、上記多数の凹凸条は、複数のＬＥＤ光源２の光線方向に配向している）。各凹凸条の光線方向に対する傾斜角の上限としては、±３０°が好ましく、±１５°がより好ましく、±５°がさらに好ましい。さらに、各凹凸条は、上記傾斜角の範囲内でランダムに配向していてもよい（つまり、各凹凸条の配向方向は完全には一致していなくてもよい）。このように、各凹凸条の配向方向がランダムとされることによって、多数の凹凸条に起因して液晶表示装置に虹ムラが生じることを抑制することができる。なお、多数の凹凸条の凹部同士は、光線の拡散方向を制御するうえでは各々独立して形成されていることが好ましいが、一部の凹部同士は交叉していてもよい。
【００３４】
多数の凹凸条の凹部は、長手方向が裏層１３の両端に亘って連続していてもよいが、例えば多数の凹凸条の凹部の平均長さは、凹部の平均幅に対して１００００倍以下が好ましく、５０００倍以下がより好ましい。また、多数の凹凸条の凹部の平均長さの下限としては、凹部の平均幅に対して２倍以上が好ましく、３倍以上がより好ましい。多数の凹凸条の凹部の平均長さが上記上限を超えると、液晶表示装置の虹ムラの発生を抑制すべく多数の凹凸条をランダムな配向方向でかつ高密度に形成し難くなるおそれがある。逆に、多数の凹凸条の凹部の平均長さが上記下限に満たないと、回折格子形状１６に到達した光線の光量に対する回折格子形状１６の幅方向に拡散される光量を十分に増加させることができないおそれがある。なお、「多数の凹凸条の凹部の平均長さ」とは、任意に抽出した２０個の凹部の長さの平均値をいう。
【００３５】
また、多数の凹凸条の凹部の長さはランダムであることが好ましい。当該下用光拡散シート４は、多数の凹凸条の凹部の長さがランダムであることによって、多数の凹凸条に起因して液晶表示装置に虹ムラが生じることを抑制することができる。
【００３６】
多数の凹凸条の凹部の幅Ｌ１はランダムであることが好ましい。また、図３に示すように、各凹凸条の凹部の幅Ｌ１は、この凹凸条の凹部の長手方向に沿ってランダムに変化することが好ましい。当該下用光拡散シート４は、多数の凹凸条の凹部の幅Ｌ１がランダムであることによって、多数の凹凸条に起因して液晶表示装置に虹ムラが生じることを抑制することができる。
【００３７】
多数の凹凸条の凹部の平均幅の下限としては、１０ｎｍが好ましく、５０ｎｍがより好ましく、１００ｎｍがさらに好ましい。一方、多数の凹凸条の凹部の平均幅の上限としては、３０μｍが好ましく、２０μｍがより好ましく、１０μｍがさらに好ましい。多数の凹凸条の凹部の平均幅が上記下限に満たないと、回折格子形状１６の成形性が低下するおそれがある。逆に、多数の凹凸条の凹部の平均幅が上記上限を超えると、回折格子形状１６の幅方向に拡散される光量を十分に確保できないおそれがある。なお、各凹凸条の凹部の幅は、上記範囲内において長手方向に沿ってランダムに形成されていることが好ましい。各凹凸条の凹部の幅が上記範囲内においてランダムに形成されていることによって周期的なピッチを持つ他部材（プリズムシートや液晶セル）等との干渉によるモアレを防ぐことができると共に、色分解が規則的に発生するのを防止して虹ムラ等を防止することができる。なお、「多数の凹凸条の凹部の平均幅」とは、任意に抽出した２０個の凹部の長手方向両端部分を除いた任意の点の多数の凹凸条の凸部の先端の平均界面における幅の平均値をいう。
【００３８】
多数の凹凸条のピッチはランダムであることが好ましい。当該下用光拡散シート４は、多数の凹凸条のピッチがランダムであることによって、多数の凹凸条に起因して液晶表示装置に虹ムラが生じることを抑制することができる。なお、「多数の凹凸条の平均ピッチ」とは、多数の凹凸条の平均配向方向と垂直な直線上において隣接する２０個の凹凸条のピッチの平均値をいう。
【００３９】
多数の凹凸条の平均ピッチの下限としては、１０ｎｍが好ましく、５０ｎｍがより好ましく、１００ｎｍがさらに好ましい。一方、多数の凹凸条の平均ピッチの上限としては、１０μｍが好ましく、９μｍがより好ましく、７μｍがさらに好ましい。多数の凹凸条の平均ピッチが上記下限に満たないと、回折格子形状１６の成形性が低下するおそれがある。逆に、多数の凹凸条の平均ピッチが上記上限を超えると、回折格子形状１６の幅方向に拡散される光量を十分に増加させることができないおそれがある。
【００４０】
多数の凹凸条のピッチの標準偏差の上限としては、１０μｍが好ましく、９μｍがより好ましく、７μｍがさらに好ましい。多数の凹凸条のピッチの標準偏差が上記上限を超えると、多数の凹凸条のピッチが不均一となり過ぎ、回折格子形状１６の幅方向に拡散される光量を多数の凹凸条の形成領域全体に亘って均一に増加させることができないおそれがある。一方、多数の凹凸条のピッチの標準偏差の下限としては、多数の凹凸条を比較的ランダムな方向に配設し易い点から、例えば４μｍとすることができる。なお、「多数の凹凸条のピッチの標準偏差」とは、任意に抽出した２０個の凹凸条のピッチの標準偏差をいう。
【００４１】
多数の凹凸条の平均配向方向と垂直方向における多数の凹凸条の凹部の単位長さ当たりの平均存在個数の下限としては、１０本／ｍｍが好ましく、５０本／ｍｍがより好ましく、１００本／ｍｍがさらに好ましい。一方、上記平均存在個数の上限としては、１００００本／ｍｍが好ましく、５０００本／ｍｍがより好ましく、１０００本／ｍｍがさらに好ましい。上記平均存在個数が上記下限に満たないと、回折格子形状１６に到達した光線の光量に対する回折格子形状１６の幅方向に拡散される光量を十分に増加させることができないおそれがある。逆に、上記平均存在個数が上記上限を超えると、回折格子形状１６の成形性が低下するおそれがある。
【００４２】
多数の凹凸条の凹部の平均深さＤ１の下限としては、１０ｎｍが好ましく、５００ｎｍがより好ましく、１μｍがさらに好ましく、２μｍが特に好ましい。一方、上記平均深さＤ１の上限としては、１０μｍが好ましく、５μｍがより好ましく、３μｍがさらに好ましい。上記平均深さＤ１が上記下限に満たないと、回折格子形状１６の幅方向に拡散される光量を十分に増加させることができないおそれがある。逆に、上記平均深さＤ１が上記上限を超えると、裏層１３の強度が低下するおそれがある。なお、「多数の凹凸条の凹部の平均深さ」とは、多数の凹凸条の凸部の先端の平均界面から任意に抽出した２０個の凹部の底部までの深さの平均値をいう。
【００４３】
また、多数の凹凸条の凹部の深さの標準偏差の上限としては、４μｍが好ましく、３μｍがより好ましく、２．５μｍがさらに好ましい。上記深さの標準偏差が上記上限を超えると、多数の凹凸条の凹部の深さが不均一となり過ぎ、回折格子形状１６の幅方向に拡散される光量を回折格子形状１６の形成領域全体に亘って均一に増加させることができないおそれがある。一方、上記深さの標準偏差の下限としては、特に限定されるものではなく、例えば０．３μｍとすることができる。なお、「多数の凹凸条の深さの標準偏差」とは、任意に抽出した２０個の凹凸条の凹部の深さの標準偏差をいう。
【００４４】
回折格子形状１６が形成される外面（裏層１３の裏面）における多数の凹凸条の配向方向と平行方向を基準とする算術平均粗さ（Ｒａ）の上限としては、１．５μｍが好ましく、１．２μｍがより好ましく、１μｍがさらに好ましい。上記算術平均粗さ（Ｒａ）が上記上限を超えると、上記特定方向を基準とする集光機能が不十分となるおそれがある。一方、回折格子形状１６が形成される外面（裏層１３の裏面）における多数の凹凸条の配向方向と平行方向を基準とする算術平均粗さ（Ｒａ）の下限としては、例えば０．００５μｍとすることができる。なお、「算術平均粗さ（Ｒａ）」とは、ＪＩＳ−Ｂ０６０１：１９９４に準じ、カットオフλｃ０．８ｍｍ、評価長さ４ｍｍの値をいう。
【００４５】
回折格子形状１６が形成される外面（裏層１３の裏面）における多数の凹凸条の配向方向と垂直方向を基準とする算術平均粗さ（Ｒａ）の下限としては、０．０１μｍが好ましく、０．１μｍがより好ましく、０．５μｍがさらに好ましい。一方、回折格子形状１６が形成される外面（裏層１３の裏面）における多数の凹凸条の配向方向と垂直方向を基準とする算術平均粗さ（Ｒａ）の上限としては、５μｍが好ましく、３μｍがより好ましく、１．５μｍがさらに好ましい。上記算術平均粗さ（Ｒａ）が上記下限に満たないと、上記特定方向と垂直方向を基準とする拡散機能が不十分となるおそれがある。逆に、上記算術平均粗さ（Ｒａ）が上記上限を超えると、光線の出射角度を制御し難くなるおそれがある。
【００４６】
また、回折格子形状１６が形成される外面（裏層１３の裏面）における多数の凹凸条の配向方向と平行方向を基準とする算術平均粗さ（Ｒａ）及び多数の凹凸条の配向方向と垂直方向を基準とする算術平均粗さ（Ｒａ）は、共に上記範囲内に含まれることが好ましい。当該下用光拡散シート４は、多数の凹凸条の配向方向と平行方向を基準とする算術平均粗さ（Ｒａ）及び多数の凹凸条の配向方向と垂直方向を基準とする算術平均粗さ（Ｒａ）が上記範囲内であることによって、上記特定方向を基準とする集光機能及び上記特定方向と垂直方向を基準とする拡散機能を共に高め易い。
【００４７】
回折格子形状１６が形成される外面（裏層１３の裏面）における多数の凹凸条の配向方向と垂直方向を基準とする算術平均粗さ（Ｒａ）と多数の凹凸条の配向方向と平行方向を基準とする算術平均粗さ（Ｒａ）との差の下限としては、０．５μｍが好ましく、０．７μｍがより好ましく、１μｍがさらに好ましい。上記算術平均粗さ（Ｒａ）の差が上記下限以上であることにより、上記特定方向を基準とする集光機能及び上記特定方向と垂直方向を基準とする拡散機能を共に高め易い。一方、上記算術平均粗さ（Ｒａ）の差の上限としては、例えば１．９μｍとすることができる。
【００４８】
回折格子形状１６が形成される外面（裏層１３の裏面）における多数の凹凸条の配向方向と平行方向を基準とする最大高さ（Ｒｙ）の上限としては、３μｍが好ましく、２．５μｍがより好ましく、２μｍがさらに好ましい。上記最大高さ（Ｒｙ）が上記上限を超えると、上記特定方向を基準とする集光機能が不十分となるおそれがある。一方、回折格子形状１６が形成される外面（裏層１３の裏面）における多数の凹凸条の配向方向と平行方向を基準とする最大高さ（Ｒｙ）の下限としては、例えば０．１μｍとすることができる。なお、「最大高さ（Ｒｙ）」とは、ＪＩＳ−Ｂ０６０１：１９９４に準じ、カットオフλｃ０．８ｍｍ、評価長さ４ｍｍの値をいう。
【００４９】
回折格子形状１６が形成される外面（裏層１３の裏面）における多数の凹凸条の配向方向と垂直方向を基準とする最大高さ（Ｒｙ）の下限としては、４μｍが好ましく、５μｍがより好ましく、６μｍがさらに好ましい。一方、回折格子形状１６が形成される外面（裏層１３の裏面）における多数の凹凸条の配向方向と垂直方向を基準とする最大高さ（Ｒｙ）の上限としては、１２μｍが好ましく、１０μｍがより好ましく、９μｍがさらに好ましい。上記最大高さ（Ｒｙ）が上記下限に満たないと、上記特定方向と垂直方向を基準とする拡散機能が不十分となるおそれがある。逆に、上記最大高さ（Ｒｙ）が上記上限を超えると、光線の出射角度を制御し難くなるおそれがある。
【００５０】
回折格子形状１６が形成される外面（裏層１３の裏面）における多数の凹凸条の配向方向と垂直方向を基準とする最大高さ（Ｒｙ）と多数の凹凸条の配向方向と平行方向を基準とする最大高さ（Ｒｙ）との差の下限としては、４μｍが好ましく、５μｍがより好ましく、６μｍがさらに好ましい。上記最大高さ（Ｒｙ）の差が上記下限以上であることによって、上記特定方向を基準とする集光機能及び上記特定方向と垂直方向を基準とする拡散機能を共に高め易い。一方、上記最大高さ（Ｒｙ）の差の上限としては、例えば１１μｍとすることができる。
【００５１】
回折格子形状１６が形成される外面（裏層１３の裏面）における多数の凹凸条の配向方向と平行方向を基準とする十点平均粗さ（Ｒｚ）の上限としては、２．５μｍが好ましく、２μｍがより好ましく、１．５μｍがさらに好ましい。上記十点平均粗さ（Ｒｚ）が上記上限を超えると、上記特定方向を基準とする集光機能が不十分となるおそれがある。一方、回折格子形状１６が形成される外面（裏層１３の裏面）における多数の凹凸条の配向方向と平行方向を基準とする十点平均粗さ（Ｒｚ）の下限としては、例えば０．１μｍとすることができる。なお、「十点平均粗さ（Ｒｚ）」とは、ＪＩＳ−Ｂ０６０１：１９９４に準じ、カットオフλｃ０．８ｍｍ、評価長さ４ｍｍの値をいう。
【００５２】
回折格子形状１６が形成される外面（裏層１３の裏面）における多数の凹凸条の配向方向と垂直方向を基準とする十点平均粗さ（Ｒｚ）の下限としては、４μｍが好ましく、５μｍがより好ましく、６μｍがさらに好ましい。一方、回折格子形状１６が形成される外面（裏層１３の裏面）における多数の凹凸条の配向方向と垂直方向を基準とする十点平均粗さ（Ｒｚ）の上限としては、１０μｍが好ましく、８μｍがより好ましく、７μｍがさらに好ましい。上記十点平均粗さ（Ｒｚ）が上記下限に満たないと、上記特定方向と垂直方向を基準とする拡散機能が不十分となるおそれがある。逆に、上記十点平均粗さ（Ｒｚ）が上記上限を超えると、光線の出射角度を制御し難くなるおそれがある。
【００５３】
回折格子形状１６が形成される外面（裏層１３の裏面）における多数の凹凸条の配向方向と垂直方向を基準とする十点平均粗さ（Ｒｚ）と多数の凹凸条の配向方向と平行方向を基準とする十点平均粗さ（Ｒｚ）との差の下限としては、３μｍが好ましく、４μｍがより好ましく、４．５μｍがさらに好ましい。上記十点平均粗さ（Ｒｚ）の差が上記下限以上であることによって、上記特定方向を基準とする集光機能及び上記特定方向と垂直方向を基準とする拡散機能を共に高め易い。一方、上記十点平均粗さ（Ｒｚ）の差の上限としては、例えば９μｍとすることができる。
【００５４】
回折格子形状１６が形成される外面（裏層１３の裏面）における多数の凹凸条の配向方向と平行方向を基準とする二乗平均平方根傾斜（ＲΔｑ）の上限としては、０．５が好ましく、０．４５がより好ましく、０．４がさらに好ましい。上記二乗平均平方根傾斜（ＲΔｑ）が上記上限を超えると、上記特定方向を基準とする集光機能が不十分となるおそれがある。一方、回折格子形状１６が形成される外面（裏層１３の裏面）における多数の凹凸条の配向方向と平行方向を基準とする二乗平均平方根傾斜（ＲΔｑ）の下限としては、例えば０．０５とすることができる。なお、「二乗平均平方根傾斜（ＲΔｑ）」とは、ＪＩＳ−Ｂ０６０１：２００１に準じた値をいう。
【００５５】
回折格子形状１６が形成される外面（裏層１３の裏面）における多数の凹凸条の配向方向と垂直方向を基準とする二乗平均平方根傾斜（ＲΔｑ）の下限としては、０．５が好ましく、０．７がより好ましく、１がさらに好ましい。一方、回折格子形状１６が形成される外面（裏層１３の裏面）における多数の凹凸条の配向方向と垂直方向を基準とする二乗平均平方根傾斜（ＲΔｑ）の上限としては、２．５が好ましく、２がより好ましく、１．８がさらに好ましい。上記二乗平均平方根傾斜（ＲΔｑ）が上記下限に満たないと、上記特定方向と垂直方向を基準とする拡散機能が不十分となるおそれがある。逆に、上記二乗平均平方根傾斜（ＲΔｑ）が上記上限を超えると、光線の出射角度を制御し難くなるおそれがある。
【００５６】
回折格子形状１６が形成される外面（裏層１３の裏面）における多数の凹凸条の配向方向と垂直方向を基準とする二乗平均平方根傾斜（ＲΔｑ）と多数の凹凸条の配向方向と平行方向を基準とする二乗平均平方根傾斜（ＲΔｑ）との差の下限としては、０．５が好ましく、０．７がより好ましく、１がさらに好ましい。上記二乗平均平方根傾斜（ＲΔｑ）の差が上記下限以上であることによって、上記特定方向を基準とする集光機能及び上記特定方向と垂直方向を基準とする拡散機能を共に高め易い。一方、上記二乗平均平方根傾斜（ＲΔｑ）の差の上限としては、例えば２．２とすることができる。
【００５７】
当該下用光拡散シート４のヘイズ値の下限としては、６０％が好ましく、７０％がより好ましく、８０％がさらに好ましい。一方、当該下用光拡散シート４のヘイズ値の上限としては、９５％が好ましく、９３％がより好ましい。当該下用光拡散シート４は、このような高いヘイズ値を有することによって、上記平面内の特定方向を基準とする集光機能及びこの特定方向と垂直方向を基準とする拡散機能をより向上し易い。
【００５８】
＜プリズムシート＞
第１プリズムシート５及び第２プリズムシート６は、基材層と、この基材層の表面に積層される複数の凸条プリズム部からなるプリズム列とを有する。上記基材層及びプリズム列は光線を透過させる必要があるので透明である。上記基材層及びプリズム列は合成樹脂を主成分として形成されている。第１プリズムシート５のプリズム列の方向と第２プリズムシート６のプリズム列の方向とは略直交している。また、上述のように第１プリズムシート５のプリズム列の方向は上述の特定方向と垂直である。第１プリズムシート５及び第２プリズムシート６は、光線を法線方向に立ち上げるための好ましい入射角を有する。
【００５９】
＜上用光拡散シート＞
上用光拡散シート７は、基材層と、基材層の表面側に積層され、複数のビーズ及びそのバインダーを有する光拡散層と、基材層の裏面側に積層される保護層とを備える。上用光拡散シート７は、基材層、基材層の表面に直接積層される光拡散層及び基材層の裏面に直接積層される保護層の３層から構成されている（基材層、光拡散層及び保護層以外の他の層を有していない）。上用光拡散シート７は、平面視方形状に形成されている。
【００６０】
上用光拡散シート７の基材層は、当該下用光拡散シート４の基材層１１と同様の構成とすることができる。また、上用光拡散シート７の保護層は、回折格子形状１６を備えないこと以外、当該下用光拡散シート４の裏層１３と同様の構成とすることができる。一方、上用光拡散シート７の光拡散層は、当該下用光拡散シート４の光拡散層１２と同様の高い光拡散性を必要とされないため、光拡散剤の配合量の下限としては、５質量部が好ましく、１０質量部がより好ましく、また上限としては、４０質量部が好ましく、３０質量部がより好ましい。
【００６１】
＜ライトガイドフィルム＞
ライトガイドフィルム１は、端面から入射される光線を表面から略均一に出射する。ライトガイドフィルム１は、平面視略方形状に形成されており、厚みが略均一の板状（非楔形状）に形成されている。ライトガイドフィルム１は、裏面に表面側に陥没する複数の凹部１７を有している。また、ライトガイドフィルム１は、裏面にスティッキング防止部を有している。具体的には、ライトガイドフィルム１は、上記スティッキング防止部として、複数の凹部１７の周囲に存在し、裏面側に突出する複数の隆起部１８を有している。隆起部１８は、凹部１７に隣接して設けられ、隆起部１８の内側面は凹部１７の形成面と連続している。
【００６２】
複数の凹部１７は、入射光を表面側に散乱させる光散乱部として機能する。各凹部１７は、平面視略円形状に形成されている。また、各凹部１７は、表面側に向けて徐々に縮径するように形成されている。凹部１７の形状としては、特に限定されるものではなく、半球状、半楕円体状、円錐状、円錐台形状等とすることが可能である。中でも、凹部１７の形状としては、半球状又は半楕円体状が好ましい。凹部１７が半球状又は半楕円体状であることによって、凹部１７の成形性を向上することができると共に、凹部１７に入射した光線を好適に散乱させることができる。
【００６３】
隆起部１８は、ライトガイドフィルム１の裏面におけるライトガイドフィルム１の厚さ方向と垂直な面から連続して形成されている。詳細には、隆起部１８は、ライトガイドフィルム１の裏面の平坦面から連続して形成されている。隆起部１８は、凹部１７を囲むように平面視略円環状に形成されている。ライトガイドフィルム１は、隆起部１８が凹部１７を囲むように平面視略円環状に形成されることによって、凹部１７及び凹部１７近辺がライトガイドフィルム１の裏面側に配設される反射シート８と密着するのを容易かつ確実に防止することができる。
【００６４】
ライトガイドフィルム１は、可撓性を有する。ライトガイドフィルム１は、可撓性を有することによって、裏面側に配設される反射シート８の傷付きを抑制することができる。ライトガイドフィルム１は、光線を透過させる必要があるため透明である。ライトガイドフィルム１は、合成樹脂を主成分として構成されている。
【００６５】
＜ＬＥＤ光源＞
複数のＬＥＤ光源２は、ライトガイドフィルム１の端面に沿って配設されている。複数のＬＥＤ光源２は、各々光線出射面がライトガイドフィルム１の端面に対向（又は当接）するよう配設されている。
【００６６】
＜反射シート＞
反射シート８は、ライトガイドフィルム１の裏面から出射された光線を表面側に反射させる。反射シート８としては、ポリエステル等の基材樹脂にフィラーを分散含有させた白色シートや、ポリエステルから形成されるフィルムの表面に、アルミニウム、銀等の金属を蒸着させることで正反射性が高められた鏡面シート等が挙げられる。
【００６７】
＜正面輝度向上機能＞
次に、図５，６を参照して、当該下用光拡散シート４及び当該バックライトユニットの正面輝度向上機能について説明する。まず、図５を参照して、従来の下用光拡散シート１１４を用いたバックライトユニットにおける光線の出射特性について説明する。複数のＬＥＤ光源２から出射された光線は、ライトガイドフィルム１の複数のＬＥＤ光源２と対向する端面（入射端面）から略垂直に入射され、この入射端面と対向する端面に向けて伝搬されながら、ライトガイドフィルム１の表面から出射される。このライトガイドフィルム１の表面から出射される光線は、複数のＬＥＤ光源２の光線出射方向に傾斜した光線を多く含む指向性を有する。そして、ライトガイドフィルム１の表面から出射された光線は、下用光拡散シート１１４の裏面から入射され等方拡散されたうえ、この下用光拡散シート１１４の表面から出射される。しかしながら、この下用光拡散シート１１４から出射された光線は、上述の等方拡散により複数のＬＥＤ光源２の光線方向と平行方向に拡散されるため、第１プリズムシート５のプリズム列に対する入射角にバラツキが生じ易く、このためこの第１プリズムシート５によって効率的に法線方向側に屈折させ難い。従って、従来の下用光拡散シート１１４を用いたバックライトユニットは、正面方向の輝度を十分に高めることができない。
【００６８】
これに対し、図６に示すように、当該下用光拡散シート４を用いた当該バックライトユニットにあっては、当該下用光拡散シート４が複数のＬＥＤ光源２の光線方向と垂直方向を基準とする拡散機能及び光線方向と平行方向を基準とする集光機能を有するので、従来のバックライトユニットにおいてプリズム列に対して最適な角度で入射されなかった光線をプリズム列に対する最適な入射角を保ちつつプリズム列の方向に拡散させることができる。そのため、当該下用光拡散シート４を用いた当該バックライトユニットは、第１プリズムシート５に入射した光線をこの第１プリズムシート５によって効率的に法線方向側に屈折させることができる。従って、当該下用光拡散シート４を用いた当該バックライトユニットは、正面方向の輝度を十分に高めることができる。
【００６９】
＜利点＞
当該光学シート（下用光拡散シート４）は、ＬＥＤ光源２の光線方向に対して垂直方向にプリズム列の方向が配された第１プリズムシート５を備えるバックライトユニットにおいて、この第１プリズムシート５の裏面側に上記特定方向が上記プリズム列の方向に対して垂直となるよう配設すると、バックライトユニットの正面輝度を十分に高めることができる。
【００７０】
また、当該光学シートは、基材層１１とこの基材層１１の表面側に積層される光拡散層１２とを備える下用光拡散シート４であるので、上記特定方向を基準とする集光機能及びこの特定方向と垂直方向を基準とする拡散機能を向上し易い。特に、当該光学シートは、光拡散層１２が複数のビーズ１４及びそのバインダー１５を有するので、上記特定方向を基準とする集光機能及びこの特定方向と垂直方向を基準とする拡散機能をより的確に向上し易い。
【００７１】
当該バックライトユニットは、当該下用光拡散シート４の上記特定方向が複数のＬＥＤ光源２の光線方向と平行、かつ第１プリズムシート５のプリズム列の方向と垂直であるので、当該下用光拡散シート４を透過する光線を第１プリズムシート５のプリズム列の垂直方向に集光させつつ、このプリズム列の方向に拡散させることで正面輝度を十分に高めることができる。
【００７２】
＜下用光拡散シートの製造方法＞
次に、当該下用光拡散シート４の製造方法について説明する。当該下用光拡散シートの製造方法は、樹脂フィルム搬送工程と、紫外線硬化型樹脂組成物供給工程と、紫外線照射工程と、光拡散層積層工程とを備える。
【００７３】
（製造装置）
当該下用光拡散シートの製造方法は、例えば図７の製造装置２１を用いて行われる。製造装置２１は、隣接して平行に配設される一対の押圧ロール２２，２３を有している。一対の押圧ロール２２，２３は、温度制御手段が設けられ、表面（周面）温度を最適な温度に制御可能に構成されている。一対の押圧ロール２２，２３として、金属ロールと表面に弾性体を被覆したフレキシブルロールとからなる金属弾性ロールを用いることは好ましい。また、一方の押圧ロール２３は、上述の回折格子形状１６を備える当該下用光拡散シート４の裏面形状の反転形状を表面に有する。
【００７４】
（樹脂フィルム搬送工程）
上記樹脂フィルム搬送工程では、一対の押圧ロール２２，２３の表面に帯状の樹脂フィルムＸを送る。具体的には、上記樹脂フィルム搬送工程では、下用光拡散シート４の基材層１１を形成する樹脂フィルムＸを一対の押圧ロール２２，２３間に送る。
【００７５】
（紫外線硬化型樹脂組成物供給工程）
上記紫外線硬化型樹脂組成物供給工程では、上記樹脂フィルムＸ及び一方の押圧ロール２３間に紫外線硬化型樹脂組成物を供給する。この紫外線硬化型樹脂組成物供給工程では、上記樹脂フィルムＸ及びこの樹脂フィルムＸの一方側面に供給される紫外線硬化型樹脂組成物を一対の押圧ロール２２，２３で押圧する。この紫外線硬化型樹脂組成物供給工程で、上記樹脂フィルムＸの一方側面に積層された紫外線硬化型樹脂組成物の外面（一方側面）に回折格子形状１６が転写される。
【００７６】
（紫外線照射工程）
上記紫外線照射工程では、上記紫外線硬化型樹脂組成物供給工程によって回折格子形状１６が転写された紫外線硬化型樹脂組成物に紫外線を照射し、この紫外線硬化型樹脂組成物を硬化させる。この紫外線照射工程によって、上記樹脂フィルムＸの一方側面に回折格子形状１６が形成される。
【００７７】
（光拡散層積層工程）
上記光拡散層積層工程では、上記紫外線照射工程後に、複数のビーズ１４及びバインダー組成物を含む塗工液を上記樹脂フィルムＸの他方側面に塗布し、さらに塗布した塗工液を乾燥及び硬化させる。この光拡散層積層工程によって、上記樹脂フィルムＸの他方側面に光拡散層１２が積層される。
【００７８】
＜利点＞
当該下用光拡散シートの製造方法は、バックライトユニットの正面輝度を十分に高めることができる当該下用光拡散シート４を容易かつ確実に製造することができる。
【００７９】
［第二実施形態］
＜下用光拡散シート＞
図８の下用光拡散シート３１は、図２の下用光拡散シート４に代えて図１のバックライトユニットに用いられる。当該下用光拡散シート３１は、基材層１１と、基材層１１の表面側に配設される光拡散層１２と、基材層１１の裏面側に積層される裏層３２とを備える。また、当該下用光拡散シート３１は、裏層３２の裏面（当該下用光拡散シート３１の裏面）にスティッキング防止部である複数の凸部３４を散点的に備える。複数の凸部３４は裏層３２と一体成形されている（つまり、複数の凸部３４及び裏層３２は一体的に形成されている）。当該下用光拡散シート３１は、平面視方形状に形成されている。当該下用光拡散シート３１は、基材層１１、光拡散層１２、裏層３２及び複数の凸部３４から構成されている（つまり、当該下用光拡散シート３１は、基材層１１、光拡散層１２、裏層３２及び複数の凸部３４以外の他の層を有しない）。なお、当該下用光拡散シート３１の基材層１１及び光拡散層１２は、図２の下用光拡散シート４と同様のため、同一符号を付して説明を省略する。
【００８０】
当該下用光拡散シート３１は、平面内の特定方向が複数のＬＥＤ光源の光線方向と平行である。また、当該下用光拡散シート３１は、上記特定方向が当該下用光拡散シート３１の表面側に直接配設される（つまり、他の光学シートを介さず配設される）第１プリズムシートのプリズム列の方向と垂直である。当該下用光拡散シート３１は、透過光線（裏面側から入射し表面側から出射される光線）に対して特定の光学的機能を有する液晶表示装置用光学シートであって、上記光学的機能として、上記平面内の特定方向を基準とする集光機能と、この特定方向と垂直方向を基準とする拡散機能とを有する。
【００８１】
裏層３２は、光線を透過させる必要があるので透明である。裏層３２は、合成樹脂を主成分として形成されている。裏層３２の主成分としては、上述の下用光拡散シート４の裏層１３の主成分と同様とすることができる。
【００８２】
当該下用光拡散シート３１は、裏層３２の裏面のうち、複数の凸部３４が存在していない領域に、上記特定方向に配向する多条状の回折格子形状３３を備える。この回折格子形状３３は、上記特定方向に沿って多数の凹凸条が形成された形状を有する。当該下用光拡散シート３１は、回折格子形状３３を備えることで、回折格子形状３３に到達した光線をこの回折格子形状３３の幅方向（多数の凹凸条の平均配向方向の垂直方向）に拡散させることができる。これにより、当該下用光拡散シート３１は、上記特定方向を基準とする集光機能及びこの特定方向と垂直方向を基準とする拡散機能を奏する。なお、回折格子形状３３の具体的形状は、図２の下用光拡散シート４と同様のため、説明を省略する。
【００８３】
各凸部３４は、図９，１０に示すように、扁平な半割回転楕円体状である。複数の凸部３４は、裏層３２の裏面にランダムで（規則性を有さず）突設されている。当該下用光拡散シート３１は、複数の凸部３４がランダムで突設されることによって、複数の凸部３４に基づいてモアレが生じることを防止することができる。なお、「扁平な半割回転楕円体状」とは、楕円を短軸を中心に回転した仮想回転楕円体を長軸を含む短軸との垂直面で半割した形状をいう。また、「半割回転楕円体状」とは、厳密な意味の半割回転楕円体状に限らず、基底が真円状であり、かつ外面が湾曲面によってドーム状に形成された形状を含む。
【００８４】
凸部３４の先端部の平均曲率半径の下限としては、５μｍが好ましく、１０μｍがより好ましい。一方、凸部３４の先端部の平均曲率半径の上限としては、５０μｍが好ましく、２５μｍがより好ましい。上記平均曲率半径が上記下限に満たないと、当該下用光拡散シート３１の裏面側に配設されるライトガイドフィルムの表面に傷付きが生じるおそれがある。逆に、上記平均曲率半径が上記上限を超えると、凸部３４とライトガイドフィルムの表面との当接面積が大きくなり、この当接部分に入射した光線に起因して輝度ムラが生じるおそれがある。なお、「凸部の先端部の平均曲率半径」とは、任意に抽出した１０個の凸部の裏層の裏面平均界面と最も離れた部分における曲率半径の平均値をいう。
【００８５】
凸部３４の平均径Ｄ２の下限としては、２５μｍが好ましく、２７μｍがより好ましく、３０μｍがさらに好ましい。一方、凸部３４の平均径Ｄ２の上限としては、４５μｍが好ましく、４２μｍがより好ましく、４０μｍがさらに好ましい。凸部３４の平均径Ｄ２が上記下限に満たないと、凸部３４の高さＨを十分に確保するためには凸部３４の先端部の曲率半径が小さくなり過ぎて当該下用光拡散シート３１の裏面側に配設されるライトガイドフィルムの表面に傷付きが生じるおそれがある。逆に、凸部３４の平均径Ｄ２が上記上限を超えると、凸部３４の先端部の曲率半径を好ましい範囲に保つためには凸部３４の高さＨが大きくなり過ぎてバックライトユニットの薄型化の要請に反するおそれがある。なお、各凸部の「径」とは、基底における径をいう。また、「凸部の平均径」とは、１０個の凸部を任意に抽出し、各凸部の基底における最大径と最小径との中間値を平均した値をいう。
【００８６】
凸部３４の平均高さＨの下限としては、２μｍが好ましく、３μｍがより好ましい。一方、凸部３４の平均高さＨの上限としては、５μｍが好ましく、４μｍがより好ましい。凸部３４の平均高さＨが上記下限に満たないと、凸部３４以外の部分でも当該下用光拡散シート３１及びライトガイドフィルムが当接し易くなり、この当接部分に入射した光線に起因して輝度ムラが生じるおそれがある。逆に、凸部３４の平均高さＨが上記上限を超えると、バックライトユニットの薄型化の要請に反するおそれがある。なお、各凸部の「高さ」とは、各凸部の基底から突出端までの長さをいい、「凸部の平均高さ」とは、１０個の凸部を任意に抽出し、各凸部の基底から突出端までの長さを平均した値を意味する。
【００８７】
複数の凸部３４同士は、その高さＨが均一であることが好ましい。複数の凸部３４の高さＨの変動係数の上限としては、０．２が好ましく、０．１がより好ましく、０．０５がさらに好ましい。複数の凸部３４の高さＨの変動係数が上記上限を超えると、複数の凸部３４の高さＨが不均一となり、高さの大きい凸部３４に荷重が偏り、これに基づいてライトガイドフィルムの表面に傷付きが生じるおそれがある。一方、複数の凸部３４の高さＨの変動係数の下限としては、特に限定されるものではなく、例えば０とすることができる。なお、複数の凸部の高さの「変動係数」とは、任意に抽出した２０個の凸部の高さの標準偏差を平均高さで割った値をいう。
【００８８】
複数の凸部３４の平均径Ｄ２に対する平均高さＨの比（Ｈ／Ｄ２）の下限としては、０．０８が好ましく、０．０９がより好ましい。一方、上記比（Ｈ／Ｄ２）の上限としては、０．２が好ましく、０．１５がより好ましく、０．１２がさらに好ましい。上記比（Ｈ／Ｄ２）が上記下限に満たないと、複数の凸部３４とライトガイドフィルムの表面との当接面積が大きくなり、この当接部分に入射した光線に起因して輝度ムラが生じるおそれがある。逆に、上記比（Ｈ／Ｄ２）が上記上限を超えると、複数の凸部３４の先端部が鋭利になり過ぎてライトガイドフィルムの表面に傷付きが生じるおそれがある。
【００８９】
凸部３４の平均ピッチの下限としては、１００μｍが好ましく、２００μｍがより好ましく、３００μｍがさらに好ましい。一方、凸部３４の平均ピッチの上限としては、１．０ｍｍが好ましく、０．７ｍｍがより好ましく、０．５ｍｍがさらに好ましい。凸部３４の平均ピッチが上記下限に満たないと、凸部３４の数が多くなり過ぎて、ライトガイドフィルムの表面に傷付きが生じるおそれがある。逆に、凸部３４の平均ピッチが上記上限を超えると、凸部３４の数が不足して十分にスティッキングを防止できないおそれがある。なお、凸部の「平均ピッチ」とは、１０個の凸部を任意に抽出し、抽出したそれぞれの凸部及びこれらの凸部に最も隣接する他の凸部のピッチの平均値をいう。
【００９０】
複数の凸部３４の占有面積比の下限としては、２％が好ましく、３％がより好ましく、４％がさらに好ましい。一方、複数の凸部３４の占有面積比の上限としては、１０％が好ましく、８％がより好ましく、６％がさらに好ましい。複数の凸部３４の占有面積比が上記下限に満たないと、十分にスティッキングを防止できないおそれがある。逆に、複数の凸部３４の占有面積比が上記上限を超えると、ライトガイドフィルムの表面に傷付きが生じるおそれがある。なお、「複数の凸部の占有面積比」とは、複数の凸部が形成される面の平面面積に対する凸部の占有面積の比をいう。
【００９１】
ビーズ１４の平均粒子径に対する凸部３４の平均径Ｄ２の比の下限としては、３が好ましく、４がより好ましく、５がさらに好ましい。一方、上記比の上限としては、９が好ましく、８がより好ましく、７がさらに好ましい。上記比が上記下限に満たないと、凸部３４に入射される光量が不足して凸部３４によって光を十分に取り入れ難くなるおそれがある。逆に、上記比が上記上限を超えると、凸部３４の湾曲形状がなだらかになり過ぎて凸部３４によって光線を取り入れ難くなるおそれがある。
【００９２】
複数の凸部３４は、合成樹脂を主成分として形成されている。また、複数の凸部１３は、内部にビーズを含んでいない。当該下用光拡散シート３１は、複数の凸部３４がビーズを含有しないので、ビーズの脱落に起因してこの下用光拡散シート３１の裏面側に配設されるライトガイドフィルムの表面が傷付くことを防止することができる。
【００９３】
＜下用光拡散シートの製造方法＞
次に、当該下用光拡散シート３１の製造方法について説明する。当該下用光拡散シート３１の製造方法は、樹脂フィルム搬送工程と、紫外線硬化型樹脂組成物供給工程と、紫外線照射工程と、光拡散層積層工程とを備える。当該下用光拡散シート３１は、上述の一方の押圧ロール２３に代えて、上述の複数の凸部３４及び回折格子形状３３を備える当該下用光拡散シート３１の裏面形状の反転形状を表面に有する押圧ロールを用いる以外、上述の当該下用光拡散シート４の製造方法と同様の方法によって製造することができる。
【００９４】
＜利点＞
当該下用光拡散シート３１は、既述のように、ＬＥＤ光源の光線方向に対して垂直方向にプリズム列の方向が配された第１プリズムシートを備えるバックライトユニットにおいて、この第１プリズムシートの裏面側に上記特定方向が上記プリズム列の方向に対して垂直となるよう配設すると、バックライトユニットの正面輝度を十分に高めることができる。また、当該下用光拡散シート３１は、裏面に複数の凸部３４を散点的に備えるので、当該下用光拡散シート３１及び当該下用光拡散シート３１の裏面側に配設されるライトガイドフィルムがこの複数の凸部３４によって部分的に当接する。そのため、当該下用光拡散シート３１は、裏面側に配設されるライトガイドフィルムとのスティッキングを防止することができる。さらに、当該下用光拡散シート３１は、上記凸部３４が扁平な半割回転楕円体であるので、複数の凸部３４の先端部（下端部）の湾曲面が比較的なだらかとなり、これにより裏面側に配設されるライトガイドフィルムの表面の傷付きを防止することができる。
【００９５】
当該下用光拡散シートの製造方法は、バックライトユニットの正面輝度を十分に高めることができると共に、裏面側に配設されるライトガイドフィルムの傷付きを防止しつつ、このライトガイドフィルムとのスティッキングを防止することができる当該下用光拡散シート３１を容易かつ確実に製造することができる。
【００９６】
［第三実施形態］
＜下用光拡散シート＞
図１１の下用光拡散シート３６は、図２及び図８の下用光拡散シート４，３１に代えて図１のバックライトユニットに用いられる。当該光拡散シート３６は、複数の凸部３４の裏面側にも回折格子形状３３に連続する回折格子形状３７を有する以外は、図８の下用光拡散シート３１と同様に構成されている。
【００９７】
＜光拡散シートの製造方法＞
次に、当該下用光拡散シート３６の製造方法について説明する。当該下用光拡散シート３６の製造方法は、樹脂フィルム搬送工程と、紫外線硬化型樹脂組成物供給工程と、紫外線照射工程と、光拡散層積層工程とを備える。当該下用光拡散シート３６は、上述の一方の押圧ロール２３に代えて、上述の複数の凸部３４、回折格子形状３３及びこの回折格子形状３３に連続して複数の凸部３４の裏面側に形成される回折格子形状３７を備える当該下用光拡散シート３６の裏面形状の反転形状を表面に有する押圧ロールを用いる以外、上述の当該下用光拡散シート４の製造方法と同様の方法によって製造することができる。
【００９８】
＜利点＞
当該光拡散シート３６は、複数の凸部３４の裏面側にも回折格子形状３３に連続する回折格子形状３７を有するので、バックライトユニットの正面輝度をより的確に高めることができる。
【００９９】
［その他の実施形態］
なお、本発明に係る光学シート及びバックライトユニットは、上記態様の他、種々の変更、改良を施した態様で実施することができる。例えば当該光学シートは、上述の構成を有する下用光拡散シートに限定されるものではなく、基材層の表面側にマイクロレンズアレイが配設されたマイクロレンズシート等であってもよい。
【０１００】
当該光学シートは、上記実施形態で記載した各層以外の他の層を有していてもよい。例えば当該光学シートは、基材層と光学層（光拡散層、プリズム列、マイクロレンズアレイ）との間や、基材層と裏層との間に他の樹脂層が積層されていてもよい。
【０１０１】
上記光拡散層は、必ずしも基材層の表面側に積層されている必要はなく、基材層の裏面側に積層されていてもよい。また、上記光拡散層は、必ずしもビーズ及びそのバインダーを有していなくてもよく、例えばエンボス加工等によって外面に凹凸形状が形成されたものであってもよい。
【０１０２】
また、当該光学シートは、上記裏層を備えていなくてもよい。上記裏層を備えない構成としては、例えば基材層の裏面に回折格子形状が形成される構成が挙げられる。また、上記裏層を備えない構成としては、基材層の裏面に回折格子形状及び複数の凸部が形成される構成も挙げられる。このような裏層を備えない当該光学シートの製造方法としては、例えば回折格子形状の反転形状、又は回折格子形状及び複数の凸部の反転形状を表面に有する押圧ロールを用い、基材層形成用樹脂組成物をＴダイからこの押圧ロール及び他の押圧ロール間に供給して形状を転写する押出成形法が挙げられる。
【０１０３】
当該光学シートがスティッキング防止部を有する場合、このスティッキング防止部の形状は上述の実施形態の形状に限定されるものではない。当該光学シートは、上記スティッキング防止部として例えば図１２〜１５に示す複数の凸部４４，５４，６４，７４を有していてもよい。
【０１０４】
図１２の凸部４４は、角錘台状に形成されており、詳細には基端側の底面面積が先端側の底面面積よりも大きい四角錘台状に形成されている。複数の凸部４４の平均高さの下限としては、２μｍが好ましく、３μｍがより好ましい。一方、上記平均高さの上限としては、１０μｍが好ましく、７μｍがより好ましい。上記平均高さが上記下限に満たないと、スティッキング防止効果が十分に得られないおそれがある。逆に、上記平均高さが上記上限を超えると、凸部４４が不要に大きくなるおそれがある。
【０１０５】
複数の凸部４４の基端側の底面の一辺の平均長さに対する平均高さの比の下限としては、０．０５が好ましく、０．１がより好ましい。一方、上記比の上限としては、１が好ましく、０．７がより好ましく、０．５がさらに好ましい。上記比が上記下限に満たないと、スティッキング防止効果が十分に得られないおそれがある。逆に、上記比が上記上限を超えると、裏面側に配設される他の部材に傷付きが生じるおそれがある。
【０１０６】
図１３の凸部５４は、筒状に形成されており、詳細には円筒状に形成されている。複数の凸部５４の平均高さとしては、上述の複数の凸部４４の平均高さと同様とすることができる。また、複数の凸部５４の平均径に対する平均高さの比としては、上述の複数の凸部４４の基端側の底面の一辺の平均長さに対する平均高さの比と同様とすることができる。
【０１０７】
図１４の凸部６４は、基端側の底面面積が先端側の底面面積よりも大きい円錐台状に形成されている。複数の凸部６４の平均高さとしては、上述の複数の凸部４４の平均高さと同様とすることができる。また、複数の凸部６４の基端側の平均径に対する平均高さの比としては、上述の複数の凸部４４の基端側の底面の一辺の平均長さに対する平均高さの比と同様とすることができる。
【０１０８】
図１５の凸部７４は、基端側から先端側にかけて徐々に縮径するラッパ状に形成されている。複数の凸部７４の平均高さとしては、上述の複数の凸部４４の平均高さと同様とすることができる。また、複数の凸部７４の基端側の平均径に対する平均高さの比としては、上述の複数の凸部４４の基端側の底面の一辺の平均長さに対する平均高さの比と同様とすることができる。
【０１０９】
当該光学シートは、プリズムシートを２枚貼り合わせたシート体の裏面に配設されることも好ましい。プリズムシートを２枚貼り合わせたシート体は、プリズムシート間に空気層が形成され難いため隠蔽性が低い。これに対し、当該光学シートが上記シート体の裏面に配設されたバックライトユニットは、当該光学シートが回折格子形状の幅方向に光を拡散させることができるので、隠蔽効果を十分に向上することができる。また、当該光学シートがこのプリズムシートを２枚貼り合わせたシート体の裏面に配設される場合、上記２枚のプリズムシートのうち裏面側のプリズムシートのプリズム列の方向と上述の平面内の特定方向とが直交することが好ましい。
【０１１０】
当該光学シートは裏面以外の部分に回折格子形状が形成されていてもよい。例えば当該光学シートは、基材層の表面又は光学層（光拡散層、プリズム列、マイクロレンズアレイ）の裏面に回折格子形状が形成されていてもよい。
【０１１１】
上記回折格子形状の具体的形状としては、上述の実施形態の形状に限定されるものではなく、例えば図１６に示すように断面角Ｕ字状の凹部を有する形状、図１７に示すように断面三角形状の凹部を有する形状、図１８に示すようにスリット状の凹部を有する形状等であってもよい。また、上記多数の凹凸条は、光源の光線出射方向と垂直方向に配向していてもよい。
【０１１２】
当該バックライトユニットは、複数のＬＥＤ光源を有することが好ましいが、１つのＬＥＤ光源のみを有していてもよい。また、当該バックライトユニットにおける光学シートの具体的種類は特に限定されるものではない。当該バックライトユニットは、ライトガイドフィルムの表面側に複数の光学シートを有することが好ましいが、１つの光学シートのみを有していてもよい。
【０１１３】
当該バックライトユニットは、必ずしもエッジライト型バックライトユニットである必要はなく、直下型バックライトユニットであってもよい。
【０１１４】
また、当該バックライトユニットがエッジライト型バックライトユニットである場合であっても、ライトガイドフィルムの一の端面に沿ってのみＬＥＤ光源が配設された片側エッジライト型バックライトユニットである必要はなく、ライトガイドフィルムの対向する一対の端面に沿ってＬＥＤ光源が配設された両側エッジライト型バックライトユニットや、ライトガイドフィルムの各端面に沿ってＬＥＤ光源が配設された全周囲エッジライト型バックライトユニットであってもよい。
【０１１５】
当該バックライトユニットは、パーソナルコンピュータや液晶テレビ等、比較的大型の表示装置や、スマートフォン等の携帯電話端末や、タブレット端末等の携帯型情報端末に用いることができる。
【実施例】
【０１１６】
以下、実施例によって本発明をさらに詳細に説明するが、本発明はこれらの実施例に限定されるものではない。
【０１１７】
［実施例］
ポリエチレンテレフタレートを主成分とする樹脂フィルムを回折格子形状の反転形状を表面に有する一方の押圧ロール及び他の押圧ロールの表面に送り、さらに一方の押圧ロール及び樹脂フィルム間に紫外線硬化型樹脂組成物を供給した。上記樹脂フィルムに紫外線硬化型樹脂が積層された状態でこの積層体を一対の押圧ロールで押圧し、紫外線硬化型樹脂組成物の外面に回折格子形状を転写した。次に、上記回折格子形状が転写された紫外線硬化型樹脂組成物に紫外線を照射し、この紫外線硬化型樹脂組成物を硬化させた。さらに、上記樹脂フィルムの紫外線硬化型樹脂組成物が積層されていない側の面に、複数のビーズ及びバインダー組成物を含む塗工液を塗布し、この塗布した塗工液を乾燥及び硬化させ光拡散層を形成し、実施例の光拡散シートを得た。この光拡散シートの回折格子形状を構成する多数の凹凸条の凹部の平均幅は９．３μｍ、凹部の平均深さは２．８μｍ、平均ピッチは９．３μｍ、多数の凹凸条のピッチの標準偏差は６．５４μｍ、多数の凹凸条の深さの標準偏差は１．１３μｍ、多数の凹凸条の配向方向と垂直方向の算術平均粗さ（Ｒａ）は１．３４μｍであった。
【０１１８】
［比較例］
回折格子形状を形成しない以外は実施例と同様にして比較例の光拡散シートを得た。
【０１１９】
＜出射光特性＞
実施例及び比較例の光拡散シートを、ライトガイドフィルムの一の端面に沿って複数のＬＥＤ光線が配設されたエッジライト型バックライトユニットのライトガイドフィルムの表面に配設した。なお、実施例の光拡散シートについては、多数の凹凸条の平均配向方向が複数のＬＥＤ光源の光線方向と平行になるように配設した。かかる状態で、複数のＬＥＤ光源から光線を出射し、各光拡散シートの出射光の出射光角及び輝度の関係を、ＥＬＤＩＭ社製の「ＥＺＣｏｎｔｒａｓｔ」を用い、ＬＥＤ光源の光線方向のＬＥＤ光源側を９０°、光線出射方向側を−９０°、バックライトユニットの出光面側を０°とし、８０°〜−８０°の範囲で視野角特性測定によって測定した。実施例の光拡散シートの出射光角及び輝度の関係を図１９に示し、比較例の光拡散シートの出射光角及び輝度の関係を図２０に示す。また、この視野角特性測定により得られた最高出光角度を表１に示す。
【０１２０】
＜バックライト輝度＞
Ａｐｐｌｅ社製のスマートフォン「ｉＰｈｏｎｅ（登録商標）６」に搭載されているバックライトユニットのライドガイドフィルム及びプリズムシート間に実施例及び比較例の光拡散シートを配設し、直流安定化電源（テクシオ・テクノロジー社製の「ＰＡＲ３６−３Ａ」）を用い、電流４０ｍＡ、電圧１８．０５Ｖで点灯した。このバックライトユニットの出光面を基準とする垂直方向１ｍの位置にトプコンテクノハウス社製の色彩輝度計「ＢＭ−７」を配置し、測定角０．２°の条件でバックライトユニット出光面の中央部分の輝度を測定した。この測定結果を表１に示す。
【０１２１】
【表１】
2018109748.tif 000003
【０１２２】
＜評価結果＞
図１９、図２０及び表１に示すように、実施例の光拡散シートは、比較例の光拡散シートに比べ、法線方向側への集光機能に優れており、バックライトユニット輝度を向上することができることが分かる。図１９、図２０及び表１に示すように、実施例の光拡散シートは、比較例の光拡散シートよりも複数のＬＥＤ光源の光線方向を基準とした集光機能及び複数のＬＥＤ光源の光線方向と垂直方向を基準とする拡散機能に優れていることが分かる。
【産業上の利用可能性】
【０１２３】
以上のように、本発明の光学シートは、バックライトユニットの正面輝度を十分高めることができるので、高品質な透過型液晶表示装置等、種々の液晶表示装置に適している。
【符号の説明】
【０１２４】
１  ライトガイドフィルム
２  ＬＥＤ光源
３  光学シート
４，３１，３６  下用光拡散シート
５  第１プリズムシート
６  第２プリズムシート
７  上用光拡散シート
８  反射シート
１１  基材層
１２  光拡散層
１３，３２  裏層
１４  ビーズ
１５  バインダー
１６，３３，３７  回折格子形状
１７  凹部
１８  隆起部
２１  製造装置
２２，２３  押圧ロール
３４，４４，５４，６４，７４  凸部
１０１  バックライトユニット
１０２  ＬＥＤ光源
１０３  導光シート
１０４  光学シート
１０５  光拡散シート
１０６  プリズムシート
１１４  下用光拡散シート
Ｘ  樹脂フィルム
【図１】
2018109748.tif 000004
【図２】
2018109748.tif 000005
【図３】
2018109748.tif 000006
【図４】
2018109748.tif 000007
【図５】
2018109748.tif 000008
【図６】
2018109748.tif 000009
【図７】
2018109748.tif 000010
【図８】
2018109748.tif 000011
【図９】
2018109748.tif 000012
【図１０】
2018109748.tif 000013
【図１１】
2018109748.tif 000014
【図１２】
2018109748.tif 000015
【図１３】
2018109748.tif 000016
【図１４】
2018109748.tif 000017
【図１５】
2018109748.tif 000018
【図１６】
2018109748.tif 000019
【図１７】
2018109748.tif 000020
【図１８】
2018109748.tif 000021
【図１９】
2018109748.tif 000022
【図２０】
2018109748.tif 000023
【図２１】
2018109748.tif 000024